(57)【要約】【課題】ニス引き装置でのニス引き版の交換を、枚葉紙印刷機の印刷装置のセットアップ作業と並行して行うことが可能となる枚葉紙印刷機の新しい運転方法を考案すること。【解決手段】本発明は枚葉紙印刷機の運転方法に関するものであり、本発明に係る方法では、ニス引き装置の版胴でのニス引き版交換が、印刷装置または各印刷装置でのセットアップ作業に並行して行われうるので、ニス引き版を交換するために、各ニス引き装置は、枚葉紙印刷機の主駆動部との連結を完全に解除され、各ニス引き装置の胴は、別個の駆動部によって駆動され、ニス引き版の交換が行われた後は、各ニス引き装置は少なくとも一部は再び同期するように、もしくは見当を合せて、枚葉紙印刷機の主駆動部に連結される。【選択図】図１
2009137298.tif 000002
【特許請求の範囲】
【請求項１】
枚葉紙印刷機の運転方法であって、当該枚葉紙印刷機は給紙装置と、排紙装置と、少なくとも１つの印刷装置と、少なくとも１つのニス引き装置と、複数の駆動部と、を有し、各印刷装置は複数の胴、すなわち圧胴と、当該圧胴上で転動する転写胴と、当該転写胴上で転動する版胴と、を有し、各ニス引き装置は複数の胴、すなわち圧胴と、当該圧胴上で転動する版胴と、を有し、前記印刷装置または各印刷装置の前記版胴上には、それぞれ少なくとも１つの印刷版が配置されており、前記ニス引き装置または各ニス引き装置の前記版胴上には、それぞれ少なくとも１つのニス引き版が配置されており、前記ニス引き装置または各ニス引き装置でのセットアップ作業は、前記印刷装置または各印刷装置でのセットアップ作業と並行して実施可能である運転方法において、
ニス引き装置の版胴でのニス引き版交換が、前記印刷装置または各印刷装置でのセットアップ作業に並行して行われうるので、ニス引き版を交換するために、前記各ニス引き装置は、枚葉紙印刷機の主駆動部との連結を完全に解除され、前記各ニス引き装置の前記胴は、別個の駆動部によって駆動され、前記ニス引き版の交換が行われた後は、前記各ニス引き装置は少なくとも一部は再び同期するように、もしくは見当を合せて、枚葉紙印刷機の主駆動部に連結されることを特徴とする運転方法。
【請求項２】
ニス引き版を交換するために、各ニス引き装置の全ての胴が、前記ニス引き装置に配設された補助駆動部によって駆動され、連続印刷時には前記各ニス引き装置の全ての胴が、枚葉紙印刷機の主駆動部によって駆動されることを特徴とする、請求項１に記載の方法。
【請求項３】
ニス引き版を交換するために、各ニス引き装置の全ての胴が、前記ニス引き装置に配設された直接駆動部によって駆動され、連続印刷時には前記各ニス引き装置の圧胴は、枚葉紙印刷機の主駆動部によって駆動され、前記各ニス引き装置の版胴は、同期するように、もしくは見当を合せて、前記各ニス引き装置の直接駆動部によって、独立モータで駆動されることを特徴とする、請求項１に記載の方法。
【請求項４】
連続印刷時には、前記印刷装置または各印刷装置の全ての胴は、枚葉紙印刷機の主駆動部によって駆動されることを特徴とする、請求項１から３のいずれか１項に記載の方法。
【請求項５】
連続印刷時には前記印刷装置または各印刷装置の圧胴および転写胴は、枚葉紙印刷機の主駆動部によって駆動され、前記印刷装置または各印刷装置の版胴は、同期するように、もしくは見当を合せて、前記各印刷装置の直接駆動部によって、独立モータで駆動されることを特徴とする、請求項１から３のいずれか１項に記載の方法。
【請求項６】
枚葉紙印刷機の運転方法であって、該枚葉紙印刷機は給紙装置と、排紙装置と、少なくとも１つの印刷装置と、少なくとも１つのニス引き装置と、複数の駆動部と、を有し、各印刷装置は複数の胴、すなわち圧胴と、当該圧胴上で転動する転写胴と、当該転写胴上で転動する版胴と、を有し、各ニス引き装置は複数の胴、すなわち圧胴と、当該圧胴上で転動する版胴と、を有し、前記印刷装置または各印刷装置の前記版胴上には、それぞれ少なくとも１つの印刷版が配置されており、前記ニス引き装置または各ニス引き装置の前記版胴上には、それぞれ少なくとも１つのニス引き版が配置されており、前記ニス引き装置または各ニス引き装置でのセットアップ作業は、前記印刷装置または各印刷装置でのセットアップ作業と並行して実施可能である運転方法において、ニス引き装置の版胴におけるニス引き版交換は、前記印刷装置または各印刷装置でのセットアップ作業と並行して行われうるので、ニス引き版を交換するために、前記各ニス引き装置の圧胴は枚葉紙印刷機の主駆動部に連結されたままとなり、他方で前記各ニス引き装置の版胴は主駆動部との連結を解除され、別個の駆動部によって駆動され、前記ニス引き版の交換が行われた後は、前記各ニス引き装置の版胴は、再び各ニス引き装置の圧胴と同期するように駆動されることを特徴とする装置。
【請求項７】
ニス引き版を交換するために、各ニス引き装置の版胴は圧胴との当接を解除され、前記圧胴との連結を解除され、前記ニス引き装置に配設された補助駆動部によって駆動され、連続印刷を行うために、前記各ニス引き装置の前記版胴は前記圧胴に当接され、前記圧胴に見当を合わせて連結され、前記各ニス引き装置の全ての胴は枚葉紙印刷機の主駆動部によって駆動されることを特徴とする、請求項６に記載の方法。
【請求項８】
ニス引き版を交換するために、各ニス引き装置の版胴は圧胴との当接を解除され、前記ニス引き装置に配設された直接駆動部によって駆動され、連続印刷を行うために、前記各ニス引き装置の前記版胴は、前記圧胴に当接され、前記各ニス引き装置の前記圧胴は枚葉紙印刷機の主駆動部によって駆動され、前記各ニス引き装置の前記版胴は同期するように、もしくは見当を合わせて、前記各ニス引き装置の直接駆動部によって独立モータで駆動されることを特徴とする、請求項６に記載の方法。
【請求項９】
連続印刷時に各ニス引き装置の版胴と圧胴との間で、両胴間の補助歯車装置または変速装置、またはその他の同期装置によって、大まかな同期が保証されることを特徴とする、請求項８に記載の方法。
【請求項１０】
連続印刷時に、前記印刷装置または各印刷装置の全ての胴が、枚葉紙印刷機の主駆動部によって駆動されることを特徴とする、請求項６から９のいずれか１項に記載の方法。
【請求項１１】
連続印刷時に、前記印刷装置または各印刷装置の圧胴および転写胴が、枚葉紙印刷機の主駆動部によって駆動され、前記印刷装置または各印刷装置の版胴が同期するように、前記各印刷装置の直接駆動部によって独立モータで駆動されることを特徴とする、請求項６から９のいずれか１項に記載の方法。
【請求項１２】
ニス引き版の交換が行われる際、各ニス引き装置の版胴と圧胴との間には、保護装置が配置されることを特徴とする、請求項６から１１のいずれか１項に記載の方法。
【請求項１３】
各ニス引き装置の版胴および圧胴でのニス引き版交換と並行して、セットアップ作業が行われる場合には、前記保護装置はニス引き装置での様々なセットアップ作業のための作業領域を別個に分離させることを特徴とする、請求項１２に記載の方法。
【請求項１４】
各ニス引き装置の版胴でのニス引き版交換と並行して、前記印刷機で連続印刷が行われる場合、前記保護装置は作業領域を別個に分離させ、前記ニス引き装置の領域での枚葉紙のガイドに使用されることを特徴とする、請求項１２に記載の方法。
【発明の詳細な説明】
【技術分野】
【０００１】
本発明は、請求項１もしくは請求項６のおいて書き部分に記載の、枚葉紙印刷機の運転方法に関する。
【背景技術】
【０００２】
枚葉紙印刷機の内部では、印刷枚葉紙は印刷のために、複数の印刷装置を通過して移動される。各印刷装置は、圧胴と、当該圧胴上で転動する転写胴と、当該転写胴上で転動する版胴と、を有し、当該転写胴はゴム胴とも、当該版胴はプレート胴とも表記される。枚葉紙印刷機は、印刷装置内で印刷された印刷枚葉紙にさらにニス引き加工を行うために、前記印刷装置に加えてニス引き装置を備えることも可能である。ニス引き装置は、圧胴と、当該圧胴上で転動する版胴と、を有する。
【０００３】
特に枚葉紙印刷機が新規の印刷ジョブに対応するためには、印刷装置とニス引き装置とで、同一のセットアップ作業が行われなければならない。例えば、印刷装置の版胴では印刷版が交換され、ニス引き装置の版胴ではニス引き版が交換される。印刷プロセスでの印刷機の稼働率を高めるためには、セットアップ作業は極力短い時間で実施されねばならず、したがって、前記印刷装置でのセットアップ作業は、前記ニス引き装置でのセットアップ作業と極力並行して行われる。このとき、枚葉紙印刷機のニス引き装置でニス引き版を交換することは、重大な意義を有する。なぜなら、ニス引き装置内では、当該ニス引き装置の版胴が、印刷枚葉紙を搬送するためにグリッパが配設された圧胴上で転動するからであり、それゆえ、ニス引き版の交換時およびニス引き版の交換後は、前記版胴と前記圧胴に配設されたグリッパとの間に衝突の危険が存在しないことが保証されなければならない。
【０００４】
ここから、ニス引き装置でのニス引き版の交換を、上記の問題点に影響されず、枚葉紙印刷機の印刷装置のセットアップ作業と並行して行うことが可能となる枚葉紙印刷機の運転方法への需要が生じる。
【発明の開示】
【発明が解決しようとする課題】
【０００５】
上記の点に鑑み、本発明の課題は、枚葉紙印刷機の新しい運転方法を考案することにある。
【課題を解決するための手段】
【０００６】
上記の課題は、本発明の第一の側面では、請求項１に係る方法によって解決される。すなわち、ニス引き装置の版胴におけるニス引き版交換は、前記印刷装置あるいは各印刷装置でのセットアップ作業と並行して行われうるので、ニス引き版を交換するために、前記各ニス引き装置は完全に枚葉紙印刷機の主駆動部との連結を解除され、各ニス引き装置の胴は別個の駆動部によって駆動され、ニス引き版の交換が行われた後には、前記各ニス引き装置は、少なくとも部分的に再び枚葉紙印刷機の主駆動部と同期するように、もしくは当該主駆動部に見当を合わせて連結される。
【０００７】
本発明の第二の側面では、前記の課題は請求項６に係る方法によって解決される。すなわち、ニス引き装置の版胴におけるニス引き版交換は、前記印刷装置あるいは各印刷装置でのセットアップ作業と並行して行われうるので、ニス引き版を交換するために、前記各ニス引き装置の圧胴は枚葉紙印刷機の主駆動部に連結されたままとなり、他方で前記各ニス引き装置の版胴は主駆動部との連結を解除され、別個の駆動部によって駆動され、ニス引き版の交換が行われた後には、前記各ニス引き装置の版胴は再び前記各ニス引き装置の圧胴と同期するように、もしくは当該圧胴に見当を合わせて駆動される。
【発明の効果】
【０００８】
本発明の前記両側面に係る方法では、ニス引き版の交換は、印刷装置におけるセットアップ作業と、特に印刷装置での印刷版の交換と並行して行うことが可能である。このとき、当該ニス引き装置の領域では、ニス引き装置の版胴とニス引き装置の圧胴に配設されたグリッパとの間に衝突の危険は存在しない。
【０００９】
本発明の有利なさらなる構成は個々の従属請求項と後続の詳細な説明に記載されている。本発明の実施例については、以下に図を用いて詳細に説明するが、本発明はこれに限定されない。
【発明を実施するための最良の形態】
【００１０】
本発明は枚葉紙印刷機の運転方法に関する。本発明に係る方法について、以下に図１を参照して説明する。図１には給紙装置１１と排紙装置１２とを有する枚葉紙印刷機１０が示されており、当該実施例では、給紙装置１１と排紙装置１２との間に、印刷装置１３が８つ、ニス引き装置１４が２つ、乾燥モジュール１５が１つ配置されている。印刷される印刷枚葉紙は、給紙装置１１を出て、まず印刷装置１３を通過し、次にニス引き装置１４を通過して移動し、印刷された印刷枚葉紙は、排紙装置１２の領域で枚葉紙印刷機から排出される。
【００１１】
図１に示された枚葉紙印刷機の実施例とは異なり、別の選択肢として、あるいは追加として、ニス引き装置を前記印刷装置に前置すること、あるいはニス引き装置を印刷装置の間に配置することも可能である。
【００１２】
各印刷装置１３は、圧胴１６と、圧胴１６上で転動する転写胴１７と、転写胴１７上で転動する版胴１８と、図示されていないインキ装置と、好適には図示されていない湿し装置と、を有する。印刷装置１３の転写胴１７はゴム胴とも、印刷装置１３の版胴１８はプレート胴とも表記される。
【００１３】
図示された実施例では、隣接する印刷装置１３の間には渡し胴１９が配置されており、渡し胴１９によって、印刷される印刷枚葉紙は１つの印刷装置１３から後続の印刷装置１３へ搬送されうる。図１によれば、渡し胴１９のうち１つは、渡し・返し胴２０として形成されており、それによって印刷枚葉紙を両面で印刷することが可能である。
【００１４】
同様に、各ニス引き装置１４は圧胴２１を備えており、ニス引き装置１４の圧胴２１上でニス引き装置１４の版胴２２が転動する。さらに、各ニス引き装置はニス塗布装置２３を有する。ニス引き装置１４の版胴２２上には、ニス引き版が配置されている。印刷装置１３の版胴１８上には印刷版が配置されている。
【００１５】
図示された実施例では、２つのニス引き装置１４の間に乾燥モジュール１５が配置されている。隣接するニス引き装置１４の間には、隣接する印刷装置１３の間と同様に、渡し胴１９が配置されており、最後の印刷装置１３と次のニス引き装置１４との間にも渡し胴１９が配置されている。
【００１６】
新しい印刷ジョブなどのために枚葉紙印刷機をリセットする場合、印刷装置１３の領域でもニス引き装置１４の領域でも、セットアップ作業が行われなければならないが、このときニス引き装置１４でのセットアップ作業は、印刷装置１３でのセットアップ作業と並行しておこなわれる必要がある。
【００１７】
本発明は枚葉紙印刷機１０の運転方法に関するものであって、当該方法によって、ニス引き装置１４の版胴２２でのニス引き版交換は、印刷装置１３でのセットアップ作業と並行して、特に印刷装置１３の版胴１８での印刷版交換と並行して、および／または転写胴および／または圧胴の洗浄と並行して行われることが可能である。
【００１８】
本発明の第一の側面によると、ニス引き装置１４の版胴２２におけるニス引き版交換は、印刷装置１３でのセットアップ作業と並行して行われうるので、ニス引き版を交換するために、各ニス引き装置１４は枚葉紙印刷機の主駆動部との連結を完全に解除され、各ニス引き装置１４の胴、すなわち各ニス引き装置１４の圧胴２１と版胴２２と、は別個の駆動部によって駆動される。ニス引き版の交換が行われた後には、前記各ニス引き装置は、少なくとも部分的に再び枚葉紙印刷機の主駆動部と同期するように、もしくは当該主駆動部に見当を合わせて連結される。
【００１９】
このとき、別個の駆動部として、各ニス引き装置１４には補助駆動部あるいは直接駆動部が配設され、補助駆動部は専らセットアップ用に、直接駆動部はセットアップと連続印刷とに使用されうる。
【００２０】
ニス引き装置１４に別個の駆動部として補助駆動部が配設される場合、ニス引き版の交換が行われた後、全てのニス引き装置１４は枚葉紙印刷機の主駆動部と同期するように、もしくは当該主駆動部に見当を合わせて連結されるため、連続印刷では各ニス引き装置１４の全ての胴、すなわち圧胴２１と版胴２２と、は枚葉紙印刷機の主駆動部によって駆動される。
【００２１】
他方、ニス引き装置１４に別個の駆動部として直接駆動部が配設される場合、ニス引き版の交換が行われた後、各ニス引き装置１４の圧胴２１のみが、主駆動部に見当を合わせて連結されるため、連続印刷ではニス引き装置１４の圧胴２１は、枚葉紙印刷機の主駆動部によって駆動されるが、ニス引き装置１４の版胴２２は、連続印刷では主駆動部と同期するように、直接駆動部によって独立モータで駆動される。直接駆動部の故障といった緊急時には、版胴を主駆動部によって駆動することも可能である。
【００２２】
印刷時には、印刷装置１３の全ての胴、すなわち圧胴１６と、転写胴１７と、版胴１８と、は枚葉紙印刷機の主駆動部によって駆動される。択一的には、枚葉紙印刷機で連続印刷するにあたり、専ら印刷装置１３の圧胴１６と転写胴１７とを枚葉紙印刷機の主駆動部によって駆動し、他方で印刷装置１３の版胴１８を版胴に配設された直接駆動部によって、主駆動部と同期して、独立モータで駆動することも可能である。
【００２３】
ここで指摘されることには、前記ニス引き版は、ニス引きプレートでも、ニス引きブランケットでも、ニス引きスリーブでもありうる。同様に、前記印刷版は印刷プレートでも、印刷スリーブでもありうる。
【００２４】
金属製またはプラスチック製の担体を有するニス引きプレートあるいはニス引きブランケットが使用される場合、自動化された、特に完全または部分的に自動化されたニス引きプレート交換が、自動交換機を用いて行われうる。当該自動交換機は、各ニス引き装置の版胴２２の領域に自動緊締レールと、ニス引きプレートをストックするための交換シャフトと、必要に応じてニス引きプレートをガイドするために版胴に備えられた押圧ロールと、を含む。
【００２５】
本発明の第二の側面によると、ニス引き装置１４の版胴２２におけるニス引き版交換は、印刷装置でのセットアップ作業と並行して行われるので、ニス引き版を交換するために、各ニス引き装置１４の圧胴２１は枚葉紙印刷機１０の主駆動部に連結されたままとなり、他方で各ニス引き装置１４の版胴２２は主駆動部との連結を解除され、別個の駆動部によって駆動される。別個に駆動する場合は、ここでも補助駆動部は専らセットアップ用に、直接駆動部はセットアップと、連続印刷にも使用されうる。ニス引き版の交換が行われた後には、各ニス引き装置１４の版胴は再び各ニス引き装置１４の圧胴２１と、したがって主駆動部と同期して駆動される。ニス引き版を交換するために、各ニス引き装置１４の版胴２２は、ニス引き装置１４の圧胴２１との当接を解除され、圧胴２１との連結を解除され、ニス引き装置１４に配設された別個の駆動部によって駆動されるが、当該別個の駆動部は上述したように、補助駆動部として、あるいは直接駆動部として形成されている。
【００２６】
別個の駆動部が補助駆動部として形成される場合、ニス引き版交換の後、連続印刷を行うために、各ニス引き装置１４の版胴２２は、ニス引き装置１４の圧胴２１に再び当接され、圧胴２１に連結され、各ニス引き装置１４の全ての胴は、連続印刷において、枚葉紙印刷機の主駆動部によって駆動される。
【００２７】
これに対し、別個の駆動部が直接駆動部として形成される場合、連続印刷を行うために各ニス引き装置１４の版胴２２は再び圧胴に当接されるが、他方で版胴２２は各ニス引き装置１４の圧胴２１との連結を解除されたままであり、その結果、連続印刷を行う際に、各ニス引き装置の圧胴２１は枚葉紙印刷機の主駆動部によって、各ニス引き装置の版胴２２は直接駆動部によって、独立モータで、主駆動部と同期して駆動される。
【００２８】
そこで、連続印刷を行う際に、ニス引き装置１４に直接駆動部が配設されている場合、各ニス引き装置１４の版胴２２と圧胴２１との間では、補助歯車装置または変速装置、またはその他の同期装置による大まかな同期が保証される。
【００２９】
本発明の第二の側面によると、ニス引き版交換を行う際、各ニス引き装置１４の版胴２２と圧胴２１との間に、進入または内側への回動によって、保護装置が配置されうる。それによって、ニス引き装置１４の領域で作業領域の分離が生じ、例えば圧胴２１の領域で洗浄プロセスが進行し、版胴２２の領域上方でニス引き版交換が行われうる。結果として、ニス引き装置において、様々なセットアップ作業を並行して行うことが可能となる。
【００３０】
そこで、各ニス引き装置の版胴におけるニス引き版交換に並行し、当該印刷機で連続印刷が行われる場合、前記保護装置は前記作業領域の分離と、前記ニス引き装置の領域における枚葉紙のガイドとに使用される。
【００３１】
独立モータで駆動される版胴を、ニス引き装置の圧胴から離れるように回動または離間させること、および枚葉紙のガイドに使用される保護装置をニス引き装置の版胴と圧胴との間に組み入れることによって、ニス引き装置を使用しない場合に、エネルギーを節約すべくニス引き装置の版胴を停止することも可能となる。当該ニス引き装置を再び使用する際には、前記版胴は再び圧胴と同期して、直接駆動部によって駆動されうる。
【００３２】
本発明の第二の側面によっても、連続印刷時に印刷装置１３の全ての胴が枚葉紙印刷機の主駆動部によって駆動されるか、あるいは専ら印刷装置１３の圧胴および転写胴が主駆動部によって駆動されることが可能であるが、他方、印刷装置１３の版胴は同期するように、各印刷装置１３の直接駆動部によって、独立モータで駆動される。
【００３３】
そこで、ニス引き装置１４の版胴２２に直接駆動部が配設される場合、各ニス引き装置１４の版胴２２上に配置されたニス引き版は、当該ニス引き装置の版胴２２の直接駆動部によって、印刷装置１３に対して円周方向に見当合わせを行うことが可能である。
【００３４】
さらに、印刷装置１３での印刷開始部に合わせて、対応するニス引き装置１４での印刷開始部を調整する、もしくは修正することも可能である。
【００３５】
上述の印刷開始部の修正に加えて、ニス引き装置１４に直接駆動部が配設されている場合、印刷の長さの修正も可能となる。各ニス引き装置１４の版胴２２の印刷の長さを修正する際、ニス引き版の円周もしくは長さを見て、版胴２２は加速および／または減速され、印刷装置１３に対する印刷の長さの修正が可能となる。上述した印刷の長さの修正に際し、ニス引き装置と印刷装置の印刷開始部を一致させるために、各ニス引き装置１４の版胴２２の張設溝において、ニス引き版の長さを通じて、加速および／または減速するための調整が行われる。
【００３６】
円周方向での見当合わせの修正および／または印刷開始部の修正および／または印刷の長さの修正は、本発明の両側面で可能であるが、それはニス引き装置１４もしくは版胴２２に、同一の直接駆動部が配設されているときである。
【００３７】
本発明の第二の側面によって本発明に係る方法を実施するにあたり、ニス引き装置１４が枚葉紙印刷機内に複数存在する場合には、ノンストップのニス引き版交換が可能である。つまり、枚葉紙印刷機で連続印刷が行われる間、少なくとも１つのニス引き装置がニス引きに使用され、少なくとも１つのその他のニス引き装置においてセットアップ作業が行われる。セットアップ作業が完了した後は、セットアップが変更されたニス引き装置でニス引きが行われ、それまでニス引きに使用されていたニス引き装置のセットアップが変更される。
【図面の簡単な説明】
【００３８】
【図１】本発明に係る方法を明確に示すための枚葉紙印刷機の概略図である。
【符号の説明】
【００３９】
１０  枚葉紙印刷機
１１  給紙装置
１２  排紙装置
１３  印刷装置
１４  ニス引き装置
１５  乾燥モジュール
１６  圧胴
１７  転写胴
１８  版胴
１９  渡し胴
２０  渡し・返し胴
２１  圧胴
２２  版胴
２３  ニス塗布装置
【図１】
2009137298.tif 000003